(57)【特許請求の範囲】
【請求項１】
車体側の取付部位を艤装する第１艤装部品と、前記第１艤装部品の裏面側に配置される第２艤装部品とを、前記取付部位に係止する車両用艤装部品の係止構造において、
前記第１艤装部品の裏面側には、前記取付部位に設けた第１係止部に係止可能な第１係止片が突設され、
前記第２艤装部品には、前記第１艤装部品に向けて、前記第１係止片と略反対方向に第２係止片が突設されており、
前記第１係止片の基部には、前記第２係止片を挿通可能な貫通孔が設けられるとともに、前記貫通孔に挿通された前記第２係止片を係止可能な第２係止部が設けられており、
前記第２係止片を前記貫通孔に挿通して前記第２係止部に係止し、前記第２艤装部品を前記第１艤装部品の裏面側に組付けた状態で、前記第１係止片を、前記取付部位の前記第１係止部に係止することにより、前記第１艤装部品と前記第２艤装部品とが、前記取付部位に係止されるようにしたことを特徴とする車両用艤装部品の係止構造。
【請求項２】
前記第１係止片の基端側に平坦部が形成され、前記貫通孔が前記平坦部に沿ったスリット状に形成され、前記貫通孔に挿通される前記第２係止片の先端部が平板状に形成されていることを特徴とする請求項１に記載の車両用艤装部品の係止構造。
【請求項３】
前記第１係止片の前記平坦部の両側に側壁部が形成され、該側壁部によって、前記スリット状貫通孔の両側端縁が画成されていることを特徴とする請求項２に記載の車両用艤装部品の係止構造。
【請求項４】
前記第１艤装部品の前記第２係止部が、前記第２係止片の先端部に設けた係止孔に係合可能な突起であることを特徴とする請求項１または２に記載の車両用艤装部品の係止構造。
【請求項５】
前記第１艤装部品の前記第２係止部が、前記第２係止片の先端部を前記貫通孔に挿通させる方向に配向された複数の突片で構成されていることを特徴とする請求項４に記載の車両用艤装部品の係止構造。
【請求項６】
前記第２係止片が、前記第１艤装部品との接合縁より外方に張出した位置から、前記第１係止片と略反対方向に突設され、前記第２係止片の基部から前記張出位置の後方に支持部が延設されていることを特徴とする請求項１〜５のいずれか１項に記載の車両用艤装部品の係止構造。
【請求項７】
前記車体側の取付部位が、車両前部に配設されたバンパーフェイシアの開口部であり、前記第１艤装部品がラジエータグリルであり、前記第２艤装部品が、前記ラジエータグリルの裏面側に装着されるインナーカバーであることを特徴とする請求項１〜６のいずれか１項に記載の車両用艤装部品の係止構造。
【発明の詳細な説明】
【技術分野】
【０００１】
本発明は、車両用艤装部品の係止構造に関し、さらに詳しくは、複数の艤装部品を車体側の限られた取付け部位に係止するのに適した係止構造に係わるものである。
【背景技術】
【０００２】
自動車等の車両のボディ外表面や車室内表面には、必要とされる外観や表面形状、機能を得る目的でガーニッシュやトリム等、種々の内外装品、すなわち艤装部品が装着されている。例えば、ボディ外表面には、ラジエータグリル、ヘッドランプやテールランプ周辺のガーニッシュなど、車室内には、インストルメントパネルやドアなどにトリムやガーニッシュが装着される。これらの艤装部品は、所望する形状や強度、質感が比較的安価で得られる樹脂成形品で構成される場合が多く、その取付けには、樹脂材の弾性を利用した係止構造が併用される場合が多い。
【０００３】
特許文献１では、車体前部に配設されるバンパーフェイシア（取付部位）に樹脂製のラジエータグリル（艤装部品）を取付けるに際して、艤装部品を取付部位に対して車両前後方向に位置決めする第１係合部と、艤装部品を取付部位に係止する第２係合部とを、車幅方向に異なる位置に配設し、第１係合部で車両前後方向の位置決めを行った後に、各部材の撓みを利用して第２係合部を係合させるようにしている。このような係止構造は、ネジなどの螺合部材による最終的な固定に先立つ仮止めの機能を有し、本固定時の締結作業を容易にするとともに、本固定の後には、当該係止部分のずれを阻止し、合わせ部の外観を良好に維持する補助的な固定機能を有する。
【０００４】
ところで、ラジエータグリルは、エンジンルーム内へ外気を導入させつつ、エンジンルーム内への異物の侵入を阻止するために、小領域に分割された開口が全面的に設けられており、図１には、順傾斜を有するハニカムルーバー状のラジエータグリルが例示されている。このようなラジエータグリルは、順傾斜のために下側ではラジエータ側との間隔が大きくなり、その空間によって、ラジエータグリルを通してエンジンルーム内が見通せてしまう問題がある。
【０００５】
そこで、このようなラジエータグリルの裏面側の周囲に、気流をラジエータに案内する整流部材と目隠し板を兼ねたインナーカバーを設けることが検討されているが、複雑な成形型を要するラジエータグリルの裏面側にアンダーカットを生じさせるような形状を一体に構成することは現実的に困難であるので、インナーカバーは別部材（第２の艤装部品）で構成し、ラジエータグリルと共にバンパーフェイシアに固定される必要がある。
【０００６】
しかし、ラジエータグリルの係止構造は、ラジエータグリル周辺の薄い枠部に設けられており、このようなラジエータグリルの裏面側に更にインナーカバーの係止構造を追加することは困難であり、仮に、係止構造の設置スペースを確保するためにグリル開口の一部を塞いで座面を形成すれば、エンジン性能を低下させることにもなりかねない。
【０００７】
そこで、ラジエータグリル（第１艤装部品）の既存の係止構造に対して、新たに設置スペースを必要としないインナーカバー（第２の艤装部品）の係止構造が求められることとなった。このような係止構造は、インナーカバーを備えない既存の係止構造を変更することなく設定可能であれば好ましく、さらに、仕様によりインナーカバーを備えたラジエータグリルと、インナーカバーを備えないラジエータグリルとが設定されるような場合に、各仕様に共通の係止構造として構成されることが有利である。
【０００８】
【特許文献１】特許第３３８４２５２号公報
【発明の開示】
【発明が解決しようとする課題】
【０００９】
本発明はこのような実状に鑑みてなされたものであって、その目的は、少ないスペースで複数の艤装部品を係止可能であるとともに、追加部品の有無による各仕様間で係止構造を共通化でき、かつ、仕様追加等で新たに設定された第２の艤装部品の係止構造を、既存の第１の艤装部品の係止構造を変更することなく設置可能な車両用艤装部品の係止構造を提供することにある。
【課題を解決するための手段】
【００１０】
上記従来技術の有する課題を解決するため、本発明は、
車体側の取付部位を艤装する第１艤装部品と、前記第１艤装部品の裏面側に配置される第２艤装部品とを、前記取付部位に係止する車両用艤装部品の係止構造において、
前記第１艤装部品（２）の裏面側には、前記取付部位（１、１１）に設けた第１係止部（１２）に係止可能な第１係止片（２１）が突設され、
前記第２艤装部品（３）には、前記第１艤装部品（３）に向けて、前記第１係止片（２１）と略反対方向に第２係止片（３１）が突設されており、
前記第１係止片の基部には、前記第２係止片（３１）を挿通可能な貫通孔（２３）が設けられるとともに、前記貫通孔に挿通された前記第２係止片を係止可能な第２係止部（２２）が設けられており、
前記第２係止片（３１）を前記貫通孔（２３）に挿通して前記第２係止部（２２）に係止し、前記第２艤装部品（３）を前記第１艤装部品（２）の裏面側に組付けた状態で、前記第１係止片（２１）を、前記取付部位の前記第１係止部（１２）に係止することにより、前記第１艤装部品（２）と前記第２艤装部品（３）とが、前記取付部位（１、１１）に係止されるようにしたことを特徴とする。
【発明の効果】
【００１１】
本発明に係わる車両用艤装部品の係止構造は、上述の通り構成されているので、第１および第２艤装部品の各係止片を同一箇所に設置できるため、係止構造の設置スペースを削減できる。また、各係止片が同一箇所に設置されることにより、仕様追加等で第１艤装部品の裏面に、第２艤装部品が追加された場合でも、元の係止構造を変更せずに、第２艤装部品の係止構造を追加でき、かつ、第２艤装部品の有無の各仕様に共通の係止構造を構成できる。
【００１２】
本発明において、前記第１係止片の基端側に平坦部が形成され、前記貫通孔が前記平坦部に沿ったスリット状に形成され、前記貫通孔に挿通される前記第２係止片の先端部が平板状に形成されている態様では、第１および第２艤装部品の各係止片を同一箇所に重ねて配置できるため、係止構造の設置スペースを削減できるとともに、各係止片相互の補強効果を得ることができる。
【００１３】
本発明において、前記第１係止片の前記平坦部の両側に側壁部が形成され、該側壁部によって、前記スリット状貫通孔の両側端縁が画成されている態様では、両側壁部が、第２艤装部品の第２係止片をスリット状貫通孔に挿通させる際のガイドとなり、組付け性が向上するとともに、組付け後における第２係止片の固定強度が向上する利点もある。
【００１４】
本発明において、前記第１艤装部品の前記第２係止部が、前記第２係止片の先端部に設けた係止孔に係合可能な突起である態様では、第２係止片の先端部全体を平板状に形成でき、スリット状貫通孔を容易に通過できるので、組付け時における第１係止片に対する負担を小さくできる。
【００１５】
また、本発明において、前記第１艤装部品の前記第２係止部が、前記第２係止片の先端部を前記貫通孔に挿通させる方向に配向された複数の突片で構成されている態様では、スリット状貫通孔とともに意匠面側における成形時のヒケを防止する上で有利である。
【００１６】
本発明において、前記第２係止片が、前記第１艤装部品との接合縁より外方に張出した位置から、前記第１係止片と略反対方向に突設され、前記第２係止片の基部から前記張出位置の後方に支持部が延設されている態様では、取付部位に設けた第１係止部に第１係止片を係止する際の弾性変形を阻害することなく、第１係止片に対する支持効果を得ることができる。
【発明を実施するための最良の形態】
【００１７】
図１は、本発明に係わる係止構造が適用される自動車の前部を示す斜視図であり、図２はその分解状態を示しており、以下、本発明の実施の形態について、自動車の前部に配設されるバンパーフェイシア１に、ラジエータグリル２（第１艤装部品）と、その裏面側に配置されるインナーカバー３（第２の艤装部品）とを係止する場合を例に取り、図面を参照しながら詳細に説明する。
【００１８】
図１および図２において、自動車の前部には、バンパーフェイシア１が被着され、バンパーフェイシア１の上部に形成された開口部１０に、ラジエータグリル２が装着されている。ラジエータグリル２の上縁部は、エンジンルームを覆うボンネットフード５の前端縁に隣接しており、ラジエータグリル２の両側方にはヘッドランプ４、４が配設されている。バンパーフェイシア１は、ヘッドランプ４、４の下縁に沿って両側方に延び、両端部はフェンダー６、６に隣接している。
【００１９】
バンパーフェイシア１は、車体７の最前部に設けたリーンフォースメント８の前部を覆うように配設され、衝撃吸収材としての機能と、自動車の前部形状を整形するフェアリングとしての機能を備え、必要とされる強度および弾性が容易に得られる樹脂成形品で構成されており、開口部１０の周囲には、後述するラジエータグリル２の取付け部（１１）が一体成形されている。
【００２０】
ラジエータグリル２は、エンジンルーム内へ外気を導入させつつ、エンジンルーム内への異物の侵入を阻止するために、小領域に分割された開口が全面的に設けられており、図示例では、順傾斜を有するハニカムルーバー状に形成されている。このラジエータグリル２も、軽量で、複雑な開口パターンを容易に形成できる樹脂成形品で構成され、バンパーフェイシア１や後述するインナーカバー３との係止構造が一体成形されている。
【００２１】
先述した通り、図１に示すような順傾斜を有するラジエータグリル２では、順傾斜のために下側ではラジエータ側との間隔が大きくなり、その空間によって、ラジエータグリル２を通してエンジンルーム内が見通せてしまう問題がある。そこで、ラジエータグリル２の裏面側に、気流をエンジンルームやラジエータに案内し、エンジンの冷却性能を向上させるインレットとしての機能と、エンジンルーム内の目隠し板としての機能を兼ねたインナーカバー３が配設されている。
【００２２】
インナーカバー３は、ラジエータグリル２とほぼ同じ外形状をなし、該ラジエータグリル２の裏面に接合される周縁部の下縁側から後方に延出した棚面３ａ（整流部材）を備えており、図３に示すように、インナーカバー３に設けた複数の係止片３１（第２係止片、図示例では４箇所）をラジエータグリル２の係止爪２２（第２係止部）に係止し、ラジエータグリル２と予め一体にした状態で、前記係止爪２２と同位置に設けたグリル２の係止片２１（第１係止片）を、バンパーフェイシア１の係止部１２（第１係止部）に係止することにより、ラジエータグリル２と共にバンパーフェイシア１の開口部１０に取り付けられる。以下、ラジエータグリル２およびインナーカバー３の係止構造について詳細に説明する。
【００２３】
図４〜図７において、ラジエータグリル２の係止片２１は、バンパーフェイシア１の４箇所の係止部１２に対応して、ラジエータグリル２の下縁部に沿って４箇所並設されており、それぞれがラジエータグリル２の下縁部から後方に向けて突設されている。係止片２１は、平坦部２１ａとその両側に延設された両側壁部２１ｂとから構成され、平坦部２１ａの先端部下方には爪部２１ｃが突設されている。
【００２４】
また、係止片２１の平坦部２１ａの基端側には、インナーカバー３の係止片３１を挿通可能なスリット状の貫通孔２３が設けられており、この貫通孔２３によって、平坦部２１ａとラジエータグリル２の枠部２０とが離隔されている。貫通孔２３の両側縁は両側壁部２１ｂによって画成され、この両側壁部２１ｂの基部において、係止片２１はラジエータグリル２の枠部２０の下面（裏面側）に接合されている。
【００２５】
さらに、係止片２１の前記貫通孔２３に隣接した前記枠部２０の下面には、インナーカバー３の係止片３１に設けた係止孔３２を係止可能な係止爪２２（第２係止部）が突設されている。この係止爪２２は、図７に示す係止片３１の挿入方向に沿って配向された３枚のリブ形状をなしている。この構成により係止爪２２が突設された枠部２０の意匠面側における成形時のヒケを防止可能であるとともに、係止に必要な強度が確保されるようにしている。
【００２６】
インナーカバー３の係止片３１は、ラジエータグリル２の係止片２１（係止爪２２および貫通孔２３）に対応して、インナーカバー３の下縁部に沿って４箇所並設されており、それぞれがインナーカバー３の下縁部より更に下方に張出した基部３３から、対応する係止部２２に向けて前方に突設されている。係止片３１の平板状をなす先端部には、該先端部を厚さ方向に貫通する係止孔３２が形成される一方、基部３３から後方にはリブ３４が延設され、このリブ３４により係止片３１の基部３３が補強されている。
【００２７】
バンパーフェイシア１の開口部１０の下縁部には、ラジエータグリル２の係止片２１に対応して４箇所の取付け部１１が並設されている。各取付け部１１は開口部１０から少し後方に張出して設けられ、その縁端部にはフランジ１１ａが立設されており、該フランジ１１ａを貫通して、ラジエータグリル２の係止片２１を係止可能な係止孔１２（第１係止部）が設けられている。
【００２８】
以上のように構成されたラジエータグリル２およびインナーカバー３をバンパーフェイシア１の開口部１０に取り付けるに際しては、先ず、図７に矢印Ｃで示すように、インナーカバー３の係止片３１を、ラジエータグリル２の貫通孔２３に挿通させ、係止片３１の先端部の係止孔３２を係止爪２２に係止することにより、インナーカバー３をラジエータグリル２の裏面に組付ける。その後、図３に示すように、スクリュー等の締結部材をインナーカバー３の周縁部に複数箇所設けた孔３５に挿通し、ラジエータグリル２の裏面周縁部に突設したボス２５に螺合締結することにより、インナーカバー３をラジエータグリル２に固定し、一体化する。
【００２９】
次いで、図７に矢印Dで示すように、ラジエータグリル２の係止片２１をバンパーフェイシア１の係止孔１２に挿通し、係止片２１の爪部２１ｃを取付け部１１の縁部に係止することにより、ラジエータグリル２とインナーカバー３とをバンパーフェイシア１の開口部１０に係止する。さらに、ラジエータグリル２の上縁部や両側縁部を、図示しないクリップやスクリュー等でバンパーフェイシア１に固定することにより、ラジエータグリル２およびインナーカバー３のバンパーフェイシア１への取付けが完了する。
【００３０】
以上の構成により、ラジエータグリル２をバンパーフェイシア１に係止するための第１の係止構造（係止片２１、係止孔１２）と、インナーカバー３をラジエータグリル２に係止するための第２の係止構造（係止片３１、係止爪２２、貫通孔２３）とが、同一箇所に重ねて配置されるので、これら係止構造を別々に設ける場合に比べて設置スペースを節減できるとともに、それぞれの係止構造が合体して相互に補強構造となり、組付け強度を向上することができる。特に、ラジエータグリル２の係止片２１とインナーカバー３の係止片３１とが直線的に配置される構成により、互いの係止方向への反力が、互いの係止力を高める方向に作用することになり、変形などによる外力が加わった場合でも、安定した係止力が得られる。
【００３１】
また、ラジエータグリル２の裏面にインナーカバー３を有する仕様と、有さない仕様とで、第１の係止構造（係止片２１、係止孔１２）を共通に利用可能であるとともに、仕様追加等でラジエータグリル２の裏面にインナーカバー３が追加される場合でも、元の係止構造（係止片２１、係止孔１２）をそのまま利用できる利点がある。
【００３２】
さらに、係止片２１の両側に立設した側壁部２１ｂにより、係止片２１の基部の補強がなされることは勿論、側壁部２１ｂが、インナーカバー３の係止片３１を貫通孔２３に挿通させる際のガイドとなり、さらに、側壁部２１ｂおよび貫通孔２３で上下方向および幅方向の位置が規制された状態で、インナーカバー３の係止片３１を直進させて係止爪２２に係合させることができるので、組付け性が良好である。
【００３３】
なお、図示例では、ラジエータグリル２の係止片２１と、インナーカバー３の係止片３１とが、比較的小さいながらも交差角を有して反対方向に突設されているため、交差方向への移動を伴って係止させることができ、それによっても組付け性が良好である。なお、上記交差角に伴い、図６に示すように、インナーカバー３の係止片３１の基部３３から後方に延設されたリブ３４と、ラジエータグリル２の係止片２１との間に楔状の間隙ができるが、このリブ３４をさらに下方に延出させ、ラジエータグリル２の係止片２１に当接させるようにしても良い。その場合、リブ（３４）が係止片２１の支持部となり、バンパーフェイシア１への係止力を向上させる上で有利である。
【００３４】
なお、上記実施形態においては、ラジエータグリル２（第１艤装部品）とインナーカバー３（第２艤装部品）とをバンパーフェイシア１（取付部位）に係止する構造について述べたが、本発明は上記実施形態に限定されるものではなく、本発明の係止構造は、車両の内外に装着される他の艤装部品の係止にも実施可能であり、さらに、本発明の技術的思想に基づいて各種の変形および変更が可能であることを付言する。
【図面の簡単な説明】
【００３５】
【図１】本発明に係わる係止構造が適用される自動車前部を示す斜視図である。
【図２】本発明に係わる係止構造が適用される自動車前部の分解状態を示す斜視図である。
【図３】ラジエータグリルおよびインナーカバーの分解状態を示す斜視図である。
【図４】図３のＡ部拡大図である。
【図５】ラジエータグリルにインナーカバーを係止した状態における図３のＡ部拡大図である。
【図６】図５のＢ−Ｂ断面図である。
【図７】ラジエータグリルおよびインナーカバーのバンパーフェイシアへの組付け過程を示す図５のＢ−Ｂ断面図である。
【符号の説明】
【００３６】
１  バンパーフェイシア
２  ラジエータグリル
３  インナーカバー
１０  開口部
１１  取付け部
１２  係止孔（第１係止部）
２０  枠部
２１  係止片（第１係止片）
２１ａ  平坦部
２１ｂ  両側壁部
２１ｃ  爪部
２２  係止爪（第２係止部）
２３  貫通孔
３１  係止片（第２係止片）
３２  係止孔
３３  基部
３４  リブ（支持部）
【図１】
0005115836.tif 000002
【図２】
0005115836.tif 000003
【図３】
0005115836.tif 000004
【図４】
0005115836.tif 000005
【図５】
0005115836.tif 000006
【図６】
0005115836.tif 000007
【図７】
0005115836.tif 000008